【事件の表示】
　特願２００１−３５７３４９「印刷時の湿し水量を調整する方法」拒絶査定不服審判事件〔平成１４年　６月１１日出願公開、特開２００２−１６６５２７〕について、次のとおり審決する。
【結　論】
　本件審判の請求は、成り立たない。
【理　由】
１．手続の経緯
　本件審判請求に係る出願は、平成１３年１１月２２日（パリ条約による優先権主張２０００年１１月２４日、独国）の出願であって、平成１９年２月６日付けの拒絶理由通知に対して、同年５月１４日付けで意見書及び手続補正書が提出され、又、同年１１月６日付けの拒絶理由通知に対して、平成２０年２月１４日付けで意見書及び手続補正書が提出され、更に、同年１０月２３日付けの拒絶理由通知（最後の拒絶理由）に対して、平成２１年１月２９日付けで意見書及び手続補正書が提出されたところ、同年１０月２日付けで拒絶査定がなされ、この拒絶査定に対して、平成２２年２月８日付けで、拒絶査定不服審判が請求されたものである。
　
２．本願発明
　本願の請求項１に係る発明は、平成２１年１月２９日付けの手続補正により補正された特許請求の範囲の請求項１に記載された事項により特定される、次のとおりのものである（以下「本願発明」という。）。
　「被印刷体上に着ける湿し水量の調量を印刷速度に応じて設定する、印刷時に湿し水量を調整する方法において、
　印刷工程における必要な前記湿し水量に影響を与える他の量に基づいて前記湿し水量の目標値変化量ΔＷを求め、前記湿し水量の目標値Ｗに前記目標値変化量ΔＷを加算または減算して前記目標値Ｗを変化させることによって、前記他の量を湿し調節器(１)用の入力パラメータとして考慮し、
　前記湿し水量に影響を与える前記他の量は、版の種類と状態、行われた印刷の回数、インキ厚、印刷時間、インキの親水挙動、およびインキストライプ幅のうちの少なくとも１つを含む
　ことを特徴とする、印刷時の湿し水量を調整する方法。」
　
３．引用刊行物とそれに記載された事項及び発明
　(１)原査定の拒絶の理由に引用された、本願優先権主張日前に頒布された刊行物である、特開平４−３２９１３９号公報（以下「引用文献１」という。）には、図面（特に、図４、７、８参照）と共に、次の事項が記載されている。
　なお、以下、下線は審決において付すものである。
　ア．段落【0005】
　「【発明が解決しようとする課題】しかしながら、オフセット印刷における刷版の水膜厚は、印刷装置の作動中における周囲温度、刷版の表面温度、浸し水の温度、周囲湿度、浸し水中のアルコール濃度および版胴回転速度などの外部要因によって変動するものであり、オペレータは印刷作業中において維持すべき水膜厚の目標値を外部要因の状態の変化に合わせて適宜補正しなければならず、刷版の水膜厚を如何に正確に検出したとしても、印刷物の印刷状態を確認して目標となる水膜厚を決定する作業が必要になり、オペレータの作業を簡略化することができなかった。」
　イ．段落【0007】
　「この発明は、印刷作業中における刷版の表面の水膜厚が目標値に一致するように外部要因の状態を考慮しつつ給水装置の供給量を決定できるようにし、
印刷作業中において外部要因の状態が如何に変化しても適正な印刷状態を維持することができるオフセット印刷の水膜厚制御装置
　ウ．段落【0018】
　「図４は、請求項２に記載した水膜厚制御装置のブロック図である。…(略)…。この
ファジィ制御装置７には、入力手段８から画像面積率計９およびインコメータ１０から面積率ＧＡおよびインク粘度ＩＮが、入力変数として入力される
　エ．段落【0020】
　「図７および図８は、請求項３に記載した発明の実施例に係る水膜圧制御装置の構成を示すブロック図である。図７に示す
水膜厚制御装置は、刷版の表面の水膜厚を検出する水膜厚センサ６の検出値ＫＥが目標値ＳＨに一致するように給水装置５に対して給水量ＫＹを出力するフィードバック制御を行う定値制御装置１１を備えたものである
この定値制御装置１１に対してはファジィ制御装置１２から目標値ＳＨが供給される
目標値を外部要因である周囲温度ＯＮによって補正し、この値を定値制御装置１１において行われるフィードバック制御の目標値として供給する
外部要因である周囲温度ＯＮの値に応じた給水量を設定し、刷版の水膜厚を適正に維持する
　オ．段落【0021】
　「また、図８に示すように、ファジィ制御装置１２に対する入力手段として図４に示した入力手段８を用い、画像面率計９において測定された面積率ＧＡおよびインコメータ１０において検出されたインク粘度ＩＮを周囲温度ＯＮとともに入力変数とするファジィ推論を実行するようにしてもよい。このように構成すれば、
ファジィ制御装置１２は面積率ＧＡおよびインク粘度ＩＮによって定まる目標値を外部要因である周囲温度ＯＮの状態に応じて補正し、フィードバック制御の目標値として供給することができる
　カ．段落【0022】
　「なお、上記実施例では、
初期要因として画像の面積率およびインク粘度を用い、外部要因として周囲温度を用いた
インク色および紙質を初期要因とすることもでき
版面温度、浸し水水温、周囲湿度、版胴回転速度および浸し水中のアルコール濃度を外部要因とすることもできる
　キ．段落【0023】
　「【発明の効果】この発明によれば、刷版の表面における水膜厚を変動する外部要因の状態に応じた水膜厚の目標値を設定することにより、常に適正な印刷画像を得ることができるように刷版に対する給水量を自動的に設定でき、オペレータによる印刷状態の確認や給水量の補正を不要にできる利点がある。」
　
　上記記載事項からみて、引用文献１には、次の発明（以下「引用文献１記載発明」という。）が開示されていると認められる。
　なお、図８における、入力手段８への入力処理は、図４の入力処理と同じであるから、引用文献１記載発明の認定については、図４に関する記載も参酌する（上記ウ参照）。
　又、引用文献１の図７及び図８は、互いに異なる実施例に係るブロック図であるところ、両実施例は、入力手段（３、８）への入力処理は異なるものの、入力後の処理は同じであるから、図８に係る発明（引用文献１記載発明）の認定については、図７に関する記載も参酌する（上記エ参照）。
　
　「刷版の表面の水膜厚を検出する水膜厚センサ６の検出値ＫＥが目標値ＳＨに一致するように給水装置５に対して給水量ＫＹを出力するフィードバック制御を行う定値制御装置１１を備えた、印刷作業中に外部要因の状態が如何に変化しても適正な印刷状態を維持できる、水膜厚制御装置であって、
　画像面積率計９およびインコメータ１０から面積率ＧＡおよびインク粘度ＩＮが、入力手段８からファジィ制御装置１２に入力され、
　ファジィ制御装置１２は、前記入力された面積率ＧＡおよびインク粘度ＩＮによって定まる目標値を、外部要因である周囲温度ＯＮに応じて補正し、この値を定値制御装置１１において行われるフィードバック制御の目標値として、前記定値制御装置１１に対して供給することにより、
　外部要因である周囲温度ＯＮの値に応じた給水量を設定し、刷版の水膜厚を適正に維持し、
　初期要因として画像の面積率およびインク粘度を用い、外部要因として周囲温度を用いる以外に、インク色および紙質を初期要因とすることもでき、版面温度、浸し水水温、周囲湿度、版胴回転速度および浸し水中のアルコール濃度を外部要因とすることもできる、
　オフセット印刷の水膜厚制御装置。」
　
　(２)同じく原査定の拒絶の理由に引用された、本願優先権主張日前に頒布された刊行物である、特開平２−２７３２３６号公報（以下「引用文献２」という。）には、次の事項が記載されている。
　ク．１頁右欄20行〜２頁左上欄５行
　「本発明は、
オフセット印刷機の印刷版上の湿し媒体量
　ケ．３頁右上欄５〜８行
　「上述の補償によって調整される
外乱量は
インキの供給量
　
４．対比
　本願発明と引用文献１記載発明とを対比する。
　ａ．一般に、印刷機においては、「水膜厚」は「湿し水量」によって定まるものであるから、本願発明の「湿し水量」と引用文献１記載発明の「水膜厚」とは同義である。
　ｂ．本願発明の「湿し調節器(１)」について、検討する。
　本願発明の「前記湿し水量の目標値Ｗに前記目標値変化量ΔＷを加算または減算して前記目標値Ｗを変化させることによって、前記他の量を湿し調節器(１)用の入力パラメータとして考慮し、」との特定事項、及び、本願の図１を参酌すると、本願発明は、目標値Ｗと目標値変化量ΔＷと（測定結果と）を供給された白丸部分（図１の左端参照）において、上記目標値Ｗを目標値変化量ΔＷにより変化させる演算を行い、変化された目標値を「湿し調節器」に供給するものと解される。
　他方、引用文献１記載発明は、「ファジィ装置１２」（本願図１中の白丸部分に相当）において、入力された面積率ＧＡおよびインク粘度ＩＮにより目標値を定め、該目標値を周囲温度ＯＮにより補正するという演算を行い、補正された目標値を「定置制御装置１１」に供給するものである。
　してみると、引用文献１記載発明の「定置制御装置１１」は、本願発明の「湿し調節器(１)」に相当する。
　なお、引用文献１記載発明の「面積率ＧＡおよびインク粘度ＩＮ」、「周囲温度ＯＮ」が、定置制御装置用の入力パラメータであることは言うまでもない。
　ｃ．本願発明の「目標値Ｗ」が、「（印刷工程における必要な湿し水量に影響を与える）他の量」に基づいて求められる「目標値変化量ΔＷ」により
変化される前
　そこで、「当初目標値」が何によって設定されるか、検討する。
　「目標値変化量ΔＷ」が「（印刷工程における必要な湿し水量に影響を与える）他の量」に基づいて求められるところ、請求項１において、当該「他の量」より先に「（印刷工程における必要な湿し水量に影響を与える）量」として記載されているものが「印刷速度」だけであることを勘案すると、本願発明の「目標値Ｗ」は、「
印刷速度に応じて設定する
　そして、本願発明の（当初の）目標値Ｗに、他の量に基づいて求めた目標値変化量ΔＷを加算または減算して変化させた目標値は、他の量に基づいて「修正された目標値」と言うことができる。
　なお、ここで「他の量」について付記するに、本願発明に言う「量」とは、請求項１において例示された「版の種類と状態、行われた印刷の回数、インキ厚、…(略)…」を参酌すると、湿し水量に影響を与える「因子」或いは「要因」と言うべきものであって、所謂、物理的に測定できる重量、容量等の「量」でないことは明らかであるから、本審決においては、本願発明の「他の量」を、「他の因子」という程度の意味と解釈する。
　他方、引用文献１記載発明は、「面積率ＧＡおよびインク粘度ＩＮによって定まる目標値を、外部要因である周囲温度ＯＮに応じて補正し、この値を定値制御装置１１において行われるフィードバック制御の目標値」とするものであるところ、「面積率およびインク粘度」は初期要因であるから、これらにより定まる目標値は「初期の目標値」ということができる。
　なお、「初期の目標値」と「当初目標値」とが同義であることは言うまでもない。
　さらに、引用文献１記載発明の「当初目標値」は、外部要因である「周囲温度」により補正されて、フィードバック制御のために「定値制御装置１１」に供給されるものである。
　換言すれば、定値制御装置に供給される「フィードバック制御の目標値」は、「周囲温度」に基づいて「補正された目標値」である。
　以上の認定によれば、本願発明の「印刷速度」と、引用文献１記載発明の「面積率およびインク粘度」とは、
当初目標値を設定する量（因子）
　同様に、本願発明の「他の量」と、引用文献１記載発明の「周囲温度」とは、当初目標値を修正（補正）するための量（因子）である点で共通するものである。
　但し、本願発明においては、「他の量」は、具体的に「版の種類と状態、行われた印刷の回数、インキ厚、印刷時間、インキの親水挙動、およびインキストライプ幅のうちの少なくとも１つを含む」と特定されており、例示される項目に「周囲温度」は含まれていないから、この点は相違点として検討する。
　ｄ．引用文献１記載発明の「フィードバック制御の目標値」は、面積率ＧＡおよびインク粘度ＩＮによって定まる目標値を、周囲温度ＯＮに応じて
補正した目標値
　なお、この点は、審判請求人も、平成１９年５月１４日付け意見書において、認めている（同意見書２頁ｃ．の８〜９行参照）。
　ｅ．引用文献１記載発明は「オフセット印刷の水膜厚制御装置」であるところ、該制御装置が実行する処理は「オフセット印刷の水膜厚制御方法」でもあり、「オフセット印刷の水膜厚制御方法」とは、印刷時に湿し水量を調整する方法でもあるから、引用文献１記載発明は「印刷時の湿し水量を調整する方法」と言い換えることができる。
　
　以上の点からみて、本願発明と引用文献１記載発明とは、次の点で一致する一方、次の点で相違している。 
《一致点》 
　「被印刷体上に着ける湿し水量の調量を当初目標値を設定する量に応じて設定する、印刷時に湿し水量を調整する方法において、
　印刷工程における必要な前記湿し水量に影響を与える他の量に基づいて前記目標値を変化させることによって、前記他の量を湿し調節器用の入力パラメータとして考慮する、
　印刷時の湿し水量を調整する方法。」
《相違点１》 
　当初目標値を設定する量が、本願発明では、「印刷速度」であるのに対して、引用文献１記載発明では、面積率およびインク粘度である点。
《相違点２》 
　他の量が、本願発明では、「版の種類と状態、行われた印刷の回数、インキ厚、印刷時間、インキの親水挙動、およびインキストライプ幅のうちの少なくとも１つ」であるのに対して、引用文献１記載発明では、周囲温度である点。
《相違点３》
　目標値を変化させる際に、本願発明は「前記湿し水量の目標値変化量ΔＷを求め、前記湿し水量の目標値Ｗに前記目標値変化量ΔＷを加算または減算して」と特定されているのに対して、引用文献１記載発明では、どのように変化させているのか明らかでない点。
　
５．判断  
(１)相違点１について
　印刷速度に応じて、湿し水の供給量を設定することは、例えば、特開平５−１６３３４号公報（段落【0001】、【0013】等参照）、特開平１−３０８６３１号公報（３頁右上欄、６頁左上欄等参照）に記載されるように、当該技術分野における周知の技術事項であり、又、引用文献１記載発明においては、初期要因として他にインク色、紙質も列挙されており、何を当初目標値の因子とするかは、当業者が必要に応じて決定することであるから、湿し水量の目標値を設定する量（因子）を「印刷速度」とすることに格別の困難性は認められない。
　
(２)相違点２について
　上記引用文献２には、オフセット印刷機の湿し媒体（水）量に影響を与える外乱量として「印刷速度、
インキの供給量
　ところで、「インキ厚」は「インキの供給量」により定まるものであるから、本願発明の「インキ厚」と引用文献２に例示された「インキの供給量」とは同種の外乱量である。
　してみると、湿し水量に影響を与える「他の量」として、「インキ厚」を採用すること自体、格別に困難なこととも認められない。
　又、引用文献１記載発明においては、外部要因として他に、版面温度、湿し水水温、周囲湿度、版胴回転速度、湿し水中のアルコール濃度が列挙されており、更に、本願発明において、「インキ厚」以外に例示された「版の種類と状態、印刷時間、…(略)…」についても、当業者が、湿し水量に影響を与える量（因子）として、普通に想定できる技術事項と認められるから、この点からみても、相違点２を格別のものとすることはできない。
　
(３)相違点３について
　引用文献１には、目標値を補正する際にどのように補正するかについて、具体的記載はない。
　しかしながら、
補正した目標値
補正値
　
(４)まとめ
　以上のとおりであるから、上記各相違点に係る特定事項は、当業者が適宜想到可能なものであり、それにより得られる作用効果も当業者であれば容易に推察可能なものであって、格別なものとは言えない。 
　したがって、本願発明は、引用文献１記載発明、引用文献２記載の技術事項、及び、周知の技術事項に基づいて、当業者が容易に発明をすることができたものである。  
 　  
６．むすび  
　以上のとおり、本願発明は、特許法第２９条第２項の規定により特許を受けることができないから、他の請求項に係る発明を検討するまでもなく、本願は、拒絶されるべきものである。
　よって、結論のとおり審決する。